(57)【要約】【課題】  不自由な腕の前腕を身体に密着させて固定保持させるようにする。【解決手段】  身体の腰部に巻き付けるに十分な長さを有し且つ所要の幅を有する帯板状の腰ベルト部６に、矩形状の腕保持部７を取り付ける。腰ベルト部６は、中空形状とし、一端部の裏面と他端部の表面に面ファスナ８と１０を取り付け、腰ベルト部６を腰部に巻き付けて両端側の面ファスナ８と１０を接合することにより身体に装着できるようにする。上記腰ベルト部６の一端側の裏面には、両端部に面ファスナ１３と１４を有する矩形状の腕保持部７の中間部を取り付け、該腕保持部７の上下両端部を腰ベルト部６の前側で重ね合わせることにより腕の前腕を固定保持させるようにする。【選択図】図１
0003138142.tif 000002
【実用新案登録請求の範囲】
【請求項１】
身体の腰付近に巻き付けて身体に装着できるよう所要長さ及び幅を有する帯板状とした腰ベルト部の一端側に、該腰ベルト部の幅方向に端部を突出させて該両端部で筒状部が形成されるようにした腕保持部を取り付け、上記腰ベルト部の両端部に、該腰ベルト部を身体に巻き付けて止めるための係止具を備え、且つ上記腕保持部の上下両端部に、該上下両端部を腰ベルト部の前側に折り曲げて止めるための係止具を備えた構成を有することを特徴とする腕固定保持具。
【請求項２】
腰ベルト部と腕保持部とを別体とし、矩形状とした腕保持部を長手方向が腰ベルト部の幅方向となるようにして、その中間部を、腰ベルト部の裏面側に着脱自在に取り付け、腰ベルト部を表面が外側となるように身体に巻き付けて、身体の前に位置させた腕保持部の上下両端部と腰ベルト部との間に腕の前腕を固定保持させるようにした請求項１記載の腕固定保持具。
【請求項３】
腰ベルト部の一端側における腕保持部取付位置に所要長さ及び幅を有する板を挿入して配置し、身体の前側に位置させた腕保持部取付位置の腰ベルト部を補強できるようにした請求項１又は２記載の腕固定保持具。
【考案の詳細な説明】
【技術分野】
【０００１】
本考案は、主として身体の左右いずれかの半身が不随等で思うようにならない人の不自由な腕を体に固定保持させるために用いる腕固定保持具に関するものである。
【背景技術】
【０００２】
従来、腕を肘の部分でほぼ直角に折り曲げて前腕部分を身体の腹部に沿わせて水平状態に保持するようにしたものとしては、方形布を三角に折り畳み、その両端を結んで首にかけるようにした三角巾が広く用いられていた。
【０００３】
近年では、これまでの三角巾使用の場合の問題点である腕が前後にずれ易く、腕の前腕と肘の保持が不安定になるということを解消するものとして、図６に一例を示す如く、袋状にして首にかけて吊るようにしたものが提案されている。すなわち、布材を裁断して下端底縁と後端縁の２方向を閉塞して上端縁と前端縁を開放させた左右の支持壁部２ａ，２ｂからなる腕つり具本体２と、該腕つり具本体２を首にかけて吊るため腕つり具本体２に取り付けてループ状とした吊りバンド３とからなり、更に、左右の支持壁部２ａ，２ｂの上縁の中間をベルベットファスナー４ａ，４ｂで閉鎖するようにした腕つり具１が提供されている。
【０００４】
上記腕つり具１は、吊りバンド３を首にかけて、腕つり具本体２を吊り下げ、この腕つり具本体２内に、前腕を肘の部分が後端縁に位置するように収納し、しかる後、左右支持壁部２ａ，２ｂの各上縁をベルベットファスナー４ａ，４ｂで閉鎖し、腕を保持するようにしてある（たとえば、特許文献１参照）。
【０００５】
又、別の例として、図７に示す如く、環状にした吊りベルト５を肩にかけ、折り曲げた腕の前腕を吊るようにしたものも提案されている（たとえば、特許文献２参照）。
【０００６】
【特許文献１】実用新案登録第３０９７３０５号公報
【特許文献２】特願２００４−２４７７０号公報
【考案の開示】
【考案が解決しようとする課題】
【０００７】
ところが、前記特許文献１に記載されたものは、腕つり具１内に腕を折り曲げて入れて保持するものであるが、吊りバンド３を首にかけて使用するものであるため、使用者の上腕の動きによって、腕を支持した状態で腕吊り具本体２が身体の胴部に対して前後左右のあらゆる方向へ揺動することがある。
【０００８】
又、前記特許文献２に記載されたものも、吊りベルト５で肩から吊り下げられているものであるため、腕は吊られた状態で揺動することがある。
【０００９】
腕の骨折、関節の脱臼等の場合においては、その者の意識で腕を動かさないように保持させることができるため、上記特許文献１や特許文献２のようなもので腕を吊った場合でも、比較的安定した支持が可能である。
【００１０】
一方、身体の左半身又は右半身が不随であったり、麻痺して片方の腕が不自由な場合は、自分の不自由な腕が固定されていないと、どこにあるのか意識がなくわからないとうことがある。そのため、移動中に不自由な方の腕が物に当ったり、移動中に倒れたりすると、不自由な方の腕に大怪我をするおそれがある。
【００１１】
したがって、上記身体の左右の半身が不随等で不自由な場合は、特に、不自由な腕を体の前に保持しておくことが上記のような腕を物に当てたり、倒れたときに腕に大怪我をするようなことから回避できる上で必要である。
【００１２】
しかし、上記特許文献１や特許文献２に記載されているような首や肩から腕を吊るようにしたものを用いて、上記不自由な腕を吊った場合には、腕は吊られていても意識がないことから、不安定な状態にあり、体を動かすときに、吊られている腕は、体の動きにつれて一緒に動き、体の胴部から離れて大きく振られているのが実状である。
【００１３】
そこで、本考案は、腕を首や肩から吊ることなく体の前部に固定して保持することができるようにして、特に、体の左右いずれかの半身が不自由な者への使用に有効な腕固定保持具を提供しようとするものである。
【課題を解決するための手段】
【００１４】
本考案は、上記課題を解決するために、身体の腰付近に巻き付けて身体に装着できるよう所要長さ及び幅を有する帯板状とした腰ベルト部の一端側に、該腰ベルト部の幅方向に端部を突出させて該両端部で筒状部が形成されるようにした腕保持部を取り付け、上記腰ベルト部の両端部に、該腰ベルト部を身体に巻き付けて止めるための係止具を備え、且つ上記腕保持部の上下両端部に、該上下両端部を腰ベルト部の前側に折り曲げて止めるための係止具を備えた構成とする。
【００１５】
又、腰ベルト部と腕保持部とを別体とし、矩形状とした腕保持部を長手方向が腰ベルト部の幅方向となるようにして、その中間部を、腰ベルト部の裏面側に着脱自在に取り付け、腰ベルト部を表面が外側となるように身体に巻き付けて、身体の前に位置させた腕保持部の上下両端部と腰ベルト部との間に腕の前腕を固定保持させるようにした構成とする。
【００１６】
更に、上記構成において、腰ベルト部の一端側における腕保持部取付位置に所要長さ及び幅を有する板を挿入して配置し、身体の前側に位置させた腕保持部取付位置の腰ベルト部を補強できるようにした構成とする。
【考案の効果】
【００１７】
本考案の腕固定保持具によれば、次の如き優れた効果を奏し得る。  
（１）身体の腰付近に巻き付けて身体に装着できるよう所要長さ及び幅を有する帯板状とした腰ベルト部の一端側に、該腰ベルト部の幅方向に端部を突出させて該両端部で筒状部が形成されるようにした腕保持部を取り付け、上記腰ベルト部の両端部に、該腰ベルト部を身体に巻き付けて止めるための係止具を備え、且つ上記腕保持部の上下両端部に、該上下両端部を腰ベルト部の前側に折り曲げて止めるための係止具を備えた構成としてあるので、身体の腰の部分に装着して、保持すべき腕の前腕を身体に密着させた状態で固定保持することができ、首や肩から吊る方式に比して安定よく且つ動揺させることなく保持させることができる。これにより、亜脱臼を予防できると共に、首や肩から吊らないため、肩が凝ることがない。又、腰ベルト部の身体への装着脱や、腕保持部による不自由な腕の保持や取り外し等は、片手で簡単に行うことができて便利である。  
（２）軽量に製作できて身体に装着した際に、重量による負担はない。  
（３）腰ベルト部は帯板状としてあるため、腰の部分に巻き付けて使用することにより、腰部を固定できて、腰の保護をも図ることができる。  
（４）腰ベルト部と腕保持部とを別体とし、矩形状とした腕保持部を長手方向が腰ベルト部の幅方向となるようにして、その中間部を、腰ベルト部の裏面側に着脱自在に取り付け、腰ベルト部を表面が外側となるように身体に巻き付けて、身体の前に位置させた腕保持部の上下両端部と腰ベルト部との間に腕の前腕を固定保持させるようにした構成とすることにより、前記の効果のほかに、腰ベルト部に対し腕保持部を着脱できることから、腕保持部の長手方向の一端側を上側又は下側へ突出するようにすることができる。これにより腕保持部の一端側の表面、他端側の裏面にそれぞれ係止具が取り付けてある場合に、腕保持部の両端部を折り曲げて筒状部を形成させるとき、片手での操作のし易いようにすることができることになる。  
（５）腰ベルト部の一端側における腕保持部取付位置に所要長さ及び幅を有する板を挿入して配置し、身体の前側に位置させた腕保持部取付位置の腰ベルト部を補強できるようにした構成とすることにより、身体の前側に位置する腰ベルト部を帯板状のままに保持させることができて、腹部に喰い込むようなことを未然に防止できる。
【考案を実施するための最良の形態】
【００１８】
以下、図面に基づき本考案を実施するための最良の形態を説明する。
【００１９】
図１（イ）（ロ）（ハ）（ニ）（ホ）乃至図５は本考案の実施の一形態を示すもので、図５に示すように身体の胴体部、特に腰の部分に１周させて巻き付けられるに十分な長さを有し且つ所要の幅寸法を有する帯状の中空形状とした布製の腰ベルト部６と、該腰ベルト部６の中空部の開口６ａ側となる一端側の裏面に中央部を着脱可能に貼り付けて上下両端側を腰ベルト部６の表面側へ折り曲げて両端部同士を重ね合わせることにより着脱可能に貼り合わせて筒状部７ａを作るようにした布製の腕保持部７とからなる構成とする。
【００２０】
上記腰ベルト部６は、丈夫なやや厚手の布地を長方形状に裁断して、長手方向に平行に延びる中央部を折曲げ部として幅方向に折り曲げて一端を除き周辺部を縫合し、一端に開口６ａを有する中空形状とする。該中空形状とした腰ベルト部６には、一端の裏面側に、図１（ハ）に示す如く係止具としての面ファスナ８を縫い付ける等により取り付けると共に、上記腕保持部７の取付位置となる一端側の裏面側所要位置における幅方向両端部に、狭幅とした面ファスナ９ａ,９ｂを取り付け、且つ他端側の表面に、長手方向に長くした
係止具としての面ファスナ１０を取り付け、使用者の体型に合わせて上記裏面側一端の面ファスナ８を他端の面ファスナ１０の任意の位置に、接合させるようにして、腰ベルト部６の長さの調整ができるようにする。
【００２１】
更に、上記腰ベルト部６には、図２（イ）（ロ）に示す所要の長さ、幅、厚さを有する矩形状の板１１を、一端の開口６ａより中空構造の内部に挿入しておくようにし、腰ベルト部６を使用者の腰部に巻き付けたときに、体の腹部前面に位置する腰ベルト部６の部分が、挿入された板１１により補強され、上半身を前方へ折り曲げても腹部で腰ベルト部６が帯状のまま保持されるようにしてある。上記板１１は、強度と弾力性を有し且つ軽量のものであればよく、厚い紙製、合成樹脂製等任意である。
【００２２】
一方、前記腕保持部７は、腰ベルト部６の裏面側に取り付けて該腰ベルト部６の前面側で腰ベルト部６とで筒状部７ａが形成されるような長さと、筒状部７ａの長さが腕の前腕を包み込み得る長さとなるような幅寸法を有する矩形状の布地で構成する。この腕保持部７には、展開した状態において、図１（ニ）（ホ）に示す如く、上記腰ベルト部６の上下幅端部に取り付けてある小さい２つの面ファスナ９ａ，９ｂに対応する小さい２つの面ファスナ１２ａ，１２ｂを裏面の中間部の取り付けると共に、該裏面の一端側には大きい係止具としての面ファスナ１３が、又、表面の他端側には上記面ファスナ１３に対応する係止具としての面ファスナ１４がそれぞれ取り付けてあり、腕保持部７の中間部の面ファスナ１２ａ，１２ｂを腰ベルト部６裏面の面ファスナ９ａ，９ｂに接合した状態で腕保持部７の両端部を腰ベルト部６の前側で重ね合わせて面ファスナ１３，１４同士を接合することにより、筒状部７ａが形成されるようにしてある。
【００２３】
本考案の腕固定保持具は、上記のように、腰に巻き付ける腰ベルト部６と、該腰ベルト部６に取り付けて筒状部７ａを作って腕の前腕を固定保持する腕保持部７とを、別体として備え、腕保持部７を腰ベルト部６に取り付けて一体構造とし、且つ腕保持部７が取り付けられている腰ベルト部６内に矩形状の板１１を挿入して使用するようにする。
【００２４】
身体の左又は右半身が不自由の者の不自由の腕を固定保持する場合において、たとえば、左半身が不自由な者の左腕を固定するために用いる場合は、図１（イ）のように腕保持部７が取り付けられている腰ベルト部６を、図３に示す如く、開口６ａがある一端側が身体の前で左側へ向くようにし且つ表面を外側にして腰部のやや上方部に巻き付け、該一端側の裏面にある面ファスナ８を、腰ベルト部６の他端側の表面にある面ファスナ１０に重ね合わせるようにして接合することにより装着させる。この際、腰ベルト部６の他端側の表面に取り付けてある面ファスナ１０は、腰ベルト部６の長手方向に長くなる形状としてあるため、一端側裏面の面ファスナ８を、上記他端側の面ファスナ１０への接合位置を任意に変えることにより、使用者の体型に合わせて常に一定の締付力で身体に装着することが可能である。この腰ベルト部６の身体への装着は、右手による片手操作で行うことができるが、介護する健常者の手を借りるようにすれば、より簡単に行うことができる。
【００２５】
次に、不自由となっている左の腕を自身の右手で把持しながら肘部で折り曲げて腰ベルト部６の前側に前腕を図５に示す如く位置させると共に、左の前腕を支えながら下方へ垂れ下がっている腕保持部７の下端側を持ち上げて前腕の外側に被せ、次いで、腕保持部７の上端側を、下から折り曲げた下端側の外側に被せるようにして面ファスナ１３，１４同士の接合を行わせる。これにより、腕保持部７は、腰ベルト部５の前で筒状になり、不自由な左腕の前腕を腰ベルト部６に押し付けるようにして固定し且つ保持することができる。腰ベルト部６と腕保持部７とは、前記したように、各２つの面ファスナ９ａ，９ｂ，１２ａ，１２ｂにより取り付けられて一体構造としてあるので、図５の状態で保持された左側の腕は、体に密着した状態で安定よく固定保持されることになる。
【００２６】
なお、上記説明は、左半身が不自由な場合の例として、図１（イ）に示すものにおいて、腰ベルト部６の開口６ａがある一端側が身体の前で左側へ向くようにして腰ベルト部６を身体の胴部に巻き付けて装着するようにした場合を示したが、上記腰ベルト部６の一端側が身体の前で右側へ向くようにして腰ベルト部６を身体に装着するようにしても使用することはできる。この場合は、腰ベルト部６及び腕保持部７を上下逆にして用いることになるので、腕保持部７は、表面の面ファスナ１４が上端側、裏面の面ファスナ１３が下端側となるようになるため、前腕を保持するときは、上端側となる表面の面ファスナ１４側を先に前腕の外側に位置させた後、下側となっている裏面の面ファスナ１３側を上方へ折り曲げて面ファスナ１３，１４により接合するようにすればよい。
【００２７】
又、上記腕保持部７は、腰ベルト部６に対して着脱自在であるため、腕保持部７は長手方向の一端と他端を上下逆にして腰ベルト部６に取り付けることができ、不自由な方の腕の前腕を腰ベルト部６の前で固定保持するときに、先に折り曲げる表面の面ファスナ１４側を、上側又は下側の任意の方向にセットさせることができ、簡単に操作のし易い状態にすることができる。
【００２８】
なお、本考案は上記した実施の形態のもののみに限定されるものではなく、たとえば、腰ベルト部６と腕保持部７とを別体として製作して、腕保持部７を腰ベルト部６に面ファスナ９ａ，９ｂ，１２ａ，１２ｂにより着脱自在に取り付けて使用する場合を示したが、予め、腰ベルト部６に腕保持部７を縫合する等により一体的に固定したものとしてもよいこと、本考案は左又は右半身が不自由な者の不自由な腕を固定して保持するのに有効であるが、腕の骨折や関節の脱臼をしている者の腕の安定した保持にも使用することができること、又、腰ベルト部６は全長に亘り中空形状としたものを示したが、少なくとも開口６ａを有する一端側の所要長さの範囲を中空形状として、板１１を内装させるようにしてもよいこと、係止具として面ファスナを示したが、面ファスナ以外のものでよいこと、その他本考案の要旨を逸脱しない範囲内で種々変更を加え得ることは勿論である。
【図面の簡単な説明】
【００２９】
【図１】本考案の腕固定保持具の実施の一形態を示すもので、（イ）は使用前の状態を示す正面図、（ロ）は（イ）における腰ベルト部の正面図、（ハ）は腰ベルト部の裏面図、（ニ）は腕保持部を展開した状態を示す裏面図、（ホ）は腕保持部の表面図である。
【図２】腰ベルト部の内部に挿入して用いる板を示すもので、（イ）は正面図、（ロ）はその切断側面図である。
【図３】本考案の腕固定保持具を使用するときの状態を示す概略斜視図である。
【図４】図３のIV−IV断面をわかり易く示した図である。
【図５】本考案の腕固定保持具を身体に装着して腕の前腕を身体に密着させて固定保持している状態の概要を示す正面図である。
【図６】従来の一例である腕つり具を示す図である。
【図７】従来の吊りベルトによる支持状態を示す図である。
【符号の説明】
【００３０】
６  腰ベルト部
７  腕保持部
７ａ  筒状部
８  面ファスナ（係止具）
９ａ，９ｂ  面ファスナ（係止具）
１０  面ファスナ（係止具）
１１  板
１２ａ，１２ｂ  面ファスナ（係止具）
１３  面ファスナ（係止具）
１４  面ファスナ（係止具）
【図１】
0003138142.tif 000003
【図２】
0003138142.tif 000004
【図３】
0003138142.tif 000005
【図４】
0003138142.tif 000006
【図５】
0003138142.tif 000007
【図６】
0003138142.tif 000008
【図７】
0003138142.tif 000009